【手続補正書】
【提出日】平成16年4月7日(2004.4.7)
【手続補正１】
【補正対象書類名】特許請求の範囲
【補正対象項目名】全文
【補正方法】変更
【補正の内容】
【特許請求の範囲】
【請求項１】
テープ・カートリッジを受け取り、テープ読み書きアセンブリに対して前記カートリッジを装着し、取り外すよう動作するドッキング装置で、
（Ａ）前記カートリッジを受け取って、その受け取り／拡張位置を画定するような構成であるベイ構造と、
（Ｂ）第１爪端部分と、前記第１爪端部分とは反対側の第２爪端部分とを含み、前進位置と後退位置との間で移動可能な爪要素とを備え、前記第１爪端部分は、前記テープ・カートリッジが受け取り／拡張位置にあり、前記爪要素が前進位置にある場合に、前記テープ・カートリッジと係合し、そこから分離するような構成であり、さらに、
（Ｃ）前記爪要素の前記第２端部分と係合するカム・アセンブリを備え、前記カム・アセンブリは、第１モードで起動されると、前記爪要素を前進位置から後退位置へと動作させ、それによってカートリッジを受け取り／拡張位置から受け取り／収縮位置へと動作させるよう作用し、さらにカートリッジを前進させて、前記テープ読み書きアセンブリに対して装着状態にするよう作用し、前記カム・アセンブリは、第２モードで駆動されると、カートリッジを前記テープ読み書きアセンブリに対して装着状態から取り外し状態へと動作させるよう作用し、さらに、前記爪要素を後退位置から前進位置へと動作させ、それによってカートリッジを受け取り／収縮位置から受け取り／拡張位置へと動作させるよう作用し、さらに、
（Ｄ）前記カム・アセンブリを第１および第２モードで選択的に起動するよう作用する駆動機構とを備えるドッキング装置。
【請求項２】
前記カム・アセンブリが回転式カム要素を含み、前記駆動機構が、第１モードで動作して、前記カム要素を第１角方向に起動し、第２モードで動作して、前記カム要素を、第１角方向とは反対の第２角方向に起動する、請求項１に記載のドッキング装置。
【請求項３】
前記カム要素が、自身内に形成されたドッキング・カム溝を伴う第１表面を有し、前記爪要素の第２端部分が、自身上に配置されて、ドッキング・カム溝と係合するカム従動子を含む、請求項２に記載のドッキング装置。
【請求項４】
前記ドッキング・カム溝が、装填区間およびドッキング・ドウェル区間を有し、前記カム従動子は、前記爪要素が前進位置と後退位置間で前進する間、装填区間内に滞在する、請求項３に記載のドッキング装置。
【請求項５】
前記カム要素が、自身内に形成された装着カム溝を伴い、前記装着カム溝と係合して、テープ・カートリッジを装着状態と取り外し状態との間で移動させるよう作用する連結要素を含む第２表面を有する、請求項３に記載のドッキング装置。
【請求項６】
前記装着カム溝が、装着ドウェル区間および装着区間を有し、前記連結部材は、前記爪要素が前進位置と後退位置の間で移動する場合に、前記装着ドウェル区間に滞在する、請求項５に記載のドッキング装置。
【請求項７】
前記カム・アセンブリは、前記爪要素が前進位置と後退位置の間で移動すると、これを制御するよう作用する爪制御プレートを含む、請求項２に記載のドッキング装置。
【請求項８】
前記爪制御プレートが、前記爪要素の前記第１端部分と係合するよう作用する案内スロットと、前記爪要素の前記第２端部分と係合するよう作用する制御スロットとを有する、請求項７に記載のドッキング装置。
【請求項９】
前記爪要素が、案内スロットと係合する第１フィンガと、制御スロットと係合する第２フィンガとを含む、請求項８に記載のドッキング装置。
【請求項１０】
前記カートリッジが取扱いスロットを有し、前記第１フィンガは、案内スロットを通って延在し、前記カートリッジの取扱いスロットと選択的に係合し、分離するようサイズ決定される、請求項９に記載のドッキング装置。
【請求項１１】
案内スロットが第１脚部分および第２脚部分を有し、前記第１フィンガは、前記第１フィンガが取扱いスロットと係合し、分離すると、第１脚部分に入り、前記第１フィンガは、前記爪要素が前進位置と後退収縮位置の間で移動すると、第２脚部分に入る、請求項１０に記載のドッキング装置。
【請求項１２】
前記カートリッジがテープ・アクセス・ドアを含み、前記爪制御プレートは、前記カートリッジが受け取り／拡張位置から受け取り／収縮位置へと移動すると、前記テープ・アクセス・ドアと係合し、これを開放するよう位置決めされたフランジを含む、請求項７に記載のドッキング装置。
【請求項１３】
テープ・カートリッジを受け取り、テープ読み書きアセンブリに対して前記カートリッジを装着し、取り外すよう作用するドッキング装置で、
（Ａ）前記テープ読み書きアセンブリの主フレームと、
（Ｂ）前記主フレームに旋回自在に固定され、前記カートリッジの取り外し状態を画定する第１位置と、前記カートリッジの装着状態を画定する第２位置との間で動作可能なサブフレームとを備え、前記サブフレームが、前記テープ・カートリッジを受け取って、その受け取り／拡張位置を画定するような構成であるドッキング・ベイを含み、さらに、
（Ｃ）第１爪端部分と、前記第１爪端部分とは反対側の第２爪端部分とを含み、前進位置と後退位置との間で移動可能な爪要素とを備え、前記第１爪端部分は、前記テープ・カートリッジが受け取り／拡張位置にあり、前記爪要素が前進位置にある場合に、前記テープ・カートリッジと係合し、そこから分離するような構成であり、さらに、
（Ｄ）前記主フレームと前記サブフレームに付随する連結要素と、
（Ｅ）第１および第２モードで駆動されるような構成のカム・アセンブリで、
（１）前記爪要素の前記第２端部分と係合する第１カム構成要素を含み、前記第１カム構成要素は、前記カム・アセンブリが第１モードで駆動されると、前記爪要素を前進位置から後退位置へと移動させるよう作用し、前記第１カム構成要素は、前記カム・アセンブリが第２モードで駆動されると、前記爪要素を後退位置から前進位置へと移動させるよう作用し、それによってカートリッジを受け取り／収縮位置から受け取り／拡張位置へと移動させ、さらに、
（２）前記連結要素と係合する第２カム構成要素を有し、前記第２カム構成要素は、前記カム・アセンブリが第１モードで駆動されると、前記サブフレームを第１位置から第２位置へと移動させるよう作用し、それによって前記カートリッジの装着状態を画定し、前記第１カム構成要素は、前記カム・アセンブリが第２モードで駆動されると、前記サブフレームを第２位置から第１位置へと移動させるよう作用し、それによって前記カートリッジの取り外し状態を画定するカム・アセンブリと、
（Ｅ）前記カム・アセンブリを第１および第２モードで選択的に起動するよう動作する駆動機構とを備えるドッキング装置。
【請求項１４】
前記カム・アセンブリが回転可能なカム要素を含み、前記駆動機構が、第１モードでは前記カム要素を第１角方向で駆動し、第２モードでは前記カム要素を第１角方向とは反対の第２角方向に駆動するよう作用する、請求項１３に記載のドッキング装置。
【請求項１５】
前記カム要素が、自身内に形成されたドッキング・カム溝を伴う第１表面を有し、前記爪要素の第２端部分が、自身上に配置されてドッキング・カム溝と係合するカム従動子を含む、請求項１４に記載のドッキング装置。
【請求項１６】
前記カム要素が、自身内に形成された装着カム溝を伴う第２表面を有し、前記連結要素が、装着カム溝と係合し、それによって前記カム要素の回転が、前記主フレームおよび前記サブフレームを相互に対して旋回させる、請求項１５に記載のドッキング装置。
【請求項１７】
前記カム・アセンブリは、前記爪要素が前進位置と後退位置の間で動作するにつれ、それを制御するよう作用する爪制御プレートを含む、請求項１３に記載のドッキング装置。
【請求項１８】
前記爪制御プレートは、前記爪要素の前記第１端部分と係合するよう作用する案内スロットと、前記爪要素の前記第２端部分と係合するよう作用する制御スロットとを有する、請求項１７に記載のドッキング装置。
【請求項１９】
前記カートリッジがテープ・アクセス・ドアを含み、前記爪制御プレートは、前記カートリッジが受け取り／拡張位置から受け取り／収縮位置へと移動すると、前記テープ・アクセス・ドアと係合して、これを開放するよう位置決めされたフランジを含む、請求項１７に記載のドッキング装置。
【請求項２０】
前記カム・アセンブリが前記サブフレームに装着された、請求項１３に記載のドッキング装置。
【請求項２１】
前記駆動機構が前記カム・アセンブリに装着された、請求項２０に記載のドッキング装置。
【請求項２２】
前記カム・アセンブリに装着された爪制御プレートを含み、前記爪要素が、前記爪制御プレートおよび前記カム・アセンブリによって支持される、請求項２０に記載のドッキング装置。
【請求項２３】
テープ媒体を含むテープ・カートリッジを受け取るような構成であり、前記テープ媒体が自身内で前進するにつれ、読み書き機能を実行するよう作用する読み書き記録アセンブリで、
（Ａ）前記テープ読み書き記録アセンブリの主フレームと、
（Ｂ）前記主フレームに旋回自在に固定され、前記カートリッジの取り外し状態を画定する第１位置と、前記カートリッジの装着状態を画定する第２位置との間で動作可能なサブフレームとを備え、前記サブフレームが、前記テープ・カートリッジを受け取って、その受け取り／拡張位置を画定するような構成であるドッキング・ベイを含み、さらに、
（Ｃ）前記主フレーム上に配置された読み書き記録ヘッドと、
（Ｄ）前記読み書き記録ヘッドに対して上流位置に配置された第１軸受け部材と、前記読み書き記録ヘッドに対して下流位置に配置された第２軸受け部材と、
（Ｅ）前記主フレーム上に支持され、テープ媒体が巻き付けられる外面を有するハブを含む巻き取り機構と、
（Ｆ）前記ハブを回転し、それによって前記テープ媒体を自身上に巻き付けるよう作用する回転式駆動機構と、
（Ｇ）テープ媒体の自由端を前記テープ・カートリッジと前記巻き取り機構との間で移送するよう作用する挿通アセンブリと、
（Ｈ）第１爪端部分および前記第１爪端部分とは反対側の第２爪端部分を含む爪要素とを備え、前記爪要素が、前進位置と後退位置の間で動作可能であり、前記第１爪端部分は、前記テープ・カートリッジが受け取り／拡張位置にあり、前記爪要素が前進位置にある場合、前記テープ・カートリッジと係合し、分離するような構成であり、さらに、
（Ｉ）前記爪要素の前記第２端部分と係合するカム・アセンブリを備え、前記カム・アセンブリは、第１モードで駆動されると、前記爪要素を前進位置から後退位置へと移動させ、それによってカートリッジを受け取り／拡張位置から受け取り／収縮位置へと移動させるよう作用し、さらに前記サブフレームを第１位置から第２位置へと移動させ、それによって前記テープ読み書きアセンブリに対して前記カートリッジの装着状態を画定するよう作用し、前記カム・アセンブリは、第２モードで駆動されると、前記サブフレームを第２位置から第１位置へと移動させ、それによって前記テープ読み書きアセンブリに対して前記カートリッジの取り外し状態を画定するよう作用し、さらに前記爪要素を後退位置から前進位置へと移動させ、それによってカートリッジを受け取り／収縮位置から受け取り／拡張位置へと移動させるよう作用し、さらに、
（Ｊ）前記カム・アセンブリを第１および第２モードで選択的に起動するよう作用する駆動機構を備える読み書き記録アセンブリ。
【請求項２４】
前記カム・アセンブリが前記サブフレーム上に配置される、請求項２３に記載の読み書き記録アセンブリ。
【請求項２５】
前記挿通アセンブリが前記サブフレーム上に配置される、請求項２３に記載の読み書き記録アセンブリ。
【請求項２６】
前記カム・アセンブリが前記サブフレーム上に配置される、請求項２５に記載の読み書き記録アセンブリ。
【請求項２７】
テープ媒体を含むテープ・カートリッジを、主フレームを含み、読み書き機能を実行する読み書き記録アセンブリへと装着し、取り外す方法で、
（Ａ）テープ・カートリッジの受け取り／拡張状態を画定するよう、前記読み書き記録アセンブリの主フレームに旋回自在に固定されたサブフレーム上に形成されたベイに、テープ・カートリッジを挿入することと、
（Ｂ）前記テープ・カートリッジと係合し、前記テープ・カートリッジを受け取り／拡張状態から受け取り／収縮状態へと前進させることと、
（Ｃ）前記テープ・カートリッジを前記読み書き記録アセンブリに対して取り外し状態から装着状態へと移動させるよう、前記サブフレームを前記主フレームに対して第１位置から第２位置へと旋回させることと、
（Ｄ）読み書き機能を実行するよう、前記読み書き記録アセンブリを通してテープ媒体を前進させることと、
（Ｅ）テープ媒体を前記テープ・カートリッジ内で回復することと、
（Ｆ）前記テープ・カートリッジを取り外して、受け取り／収縮位置へと移動させるよう、前記サブフレームを第２位置から第１位置へと旋回させることと、
（Ｇ）前記テープ・カートリッジを受け取り／収縮位置から受け取り／拡張位置へと前進させることと、
（Ｈ）前記テープ・カートリッジをベイから分離し、取り出すこととを含む方法。